(57)【特許請求の範囲】
【請求項１】
前面に前面側コネクタを有し背面に背面側コネクタを有するバックパネルに対して、複数の前面側プリント配線板がその端部のコネクタを上記前面側コネクタと接続させて実装してあり、且つ複数の背面側プリント配線板がその端部のコネクタを上記背面側コネクタと接続させて実装してあり、該前面側プリント配線板と該背面側プリント配線板とが直交する関係にある構成のプリント配線板実装構造において、
前面側から見て、該前面側コネクタと該背面側コネクタとは交差しないで直交する配置にある構成としたことを特徴とするプリント配線板実装構造。
【請求項２】
請求項１に記載のプリント配線板実装構造において、
上記バックパネルは、前面側から見て、上記前面側コネクタと背面側コネクタとが直交する箇所の近傍の部位に、信号処理を行う素子が実装してある構成としたことを特徴とするプリント配線板実装構造。
【請求項３】
請求項１に記載のプリント配線板実装構造において、
上記背面側プリント配線板は、別々の前面側プリント配線板の間を接続するための配線パターンを有する構成としたことを特徴とするプリント配線板実装構造。
【発明の詳細な説明】
【０００１】
【発明の属する技術分野】
【０００２】
本発明はプリント配線板実装構造に係り、特に通信装置、情報処理装置等の一部を構成するプリント配線板実装構造であってバックパネルに複数のプリント配線板が並んで実装された構成のプリント配線板実装構造に関する。
【従来の技術】
【０００３】
図１（Ａ），（Ｂ）は、通信装置のシェルフ（図示せず）内に組み込まれている従来のプリント配線板実装構造１０を示す。１１はバックパネルであり、多層配線構造を有する。１２は複数のプリント配線板ユニットであり、プリント配線板１３上にＬＳＩ１４等が実装してあり、コネクタ接続されて、バックパネル１１の前面１１ａ側に垂直の向きで並んで実装してある。複数のプリント配線板ユニット１２の間は、バックパネル１１内の配線パターンによって電気的に接続されている。
【０００４】
図２（Ａ），（Ｂ）は、情報処理装置のシェルフ（図示せず）内に組み込まれている従来のプリント配線板実装構造２０を示す。プリント配線板実装構造２０は、情報の処理を行う。２１はバックパネルであり、多層配線構造を有する。２２は複数の前面側プリント配線板ユニットであり、バックパネル２１の前面２１ａ側にコネクタ接続されて垂直の向きで並んで実装してある。３０は複数の背面側プリント配線板ユニットであり、バックパネル２１の裏面２１ｂ側にコネクタ接続されて垂直の向きで並んで実装してある。前面側プリント配線板ユニット２２及び背面側プリント配線板ユニット３０は、夫々、プリント配線板２３、３１にＬＳＩ２４、３２が実装してある構造である。ＬＳＩ２４、３２は、ドライバとレシーバとを備えており、情報の処理を行う。複数の前面側プリント配線板ユニット２２の間、複数の背面側プリント配線板ユニット３０の間、前面側プリント配線板ユニット２２と背面側プリント配線板ユニット３０との間は、バックパネル２１内の配線パターンによって電気的に接続されている。
【０００５】
プリント配線板実装構造２０は、複数の前面側プリント配線板ユニット２２の間、複数の背面側プリント配線板ユニット３０の間、前面側プリント配線板ユニット２２と背面側プリント配線板ユニット３０との間で、ＬＳＩ２４、３２のドライバが命令を送り出し、ＬＳＩ２４、３２のレシーバが情報を受け取る動作を行って情報の処理が行われる。
【発明が解決しようとする課題】
【０００６】
図１（Ａ），（Ｂ）のプリント配線板実装構造１０は、以下の問題を有する。現在、各プリント配線板ユニット１２の処理能力の増加に伴ってバックパネル１１内の配線パターンの数を増やすことが必要となってきている。バックパネル１１内の配線パターンの数を増やすためには、バックパネル１１の層数を増やすこと或いは、図１（Ｂ）に符号１５で示すようにジャンパ線を追加することが必要となる。バックパネル１１の層数を増やすと、バックパネル１１の製造コストが相当に高くなってしまう。ジャンパ線１５を追加した場合には、信頼性が低下してしまう。
【０００７】
図２（Ａ），（Ｂ）のプリント配線板実装構造２０は、以下の問題を有する。  図３に示すように、前面側プリント配線板ユニット２２−１と、前面側プリント配線板ユニット２２−２と背面側プリント配線板ユニット３０−１との間での命令の送り出し及び情報の受け取りについて考えてみる。前面側プリント配線板ユニット２２−１のＬＳＩ２４−１からの命令は、符号４０で示すバックパネル２１内を通った経路を通って前面側プリント配線板ユニット２２−２のＬＳＩ２４−２に到り、ＬＳＩ２４−２からの情報は、上記の経路４０を通ってＬＳＩ２４−１に到る。また、ＬＳＩ２４−１からの命令は、符号４１で示すバックパネル２１内を通った経路を通って背面側プリント配線板ユニット３１−１のＬＳＩ３２−１に到り、ＬＳＩ３２−１からの情報は、上記の経路４１を通ってＬＳＩ２４−１に到る。上記の経路４０、４１の長さは長い。
【０００８】
上記の経路４０、４１の長さが長いことが、情報の処理の高速度化を図る上で障害となっていた。
【０００９】
そこで、本発明は上記課題を解決したプリント配線板実装構造を提供することを目的とする。
【課題を解決するための手段】
【００１０】
請求項１の発明は、前面に前面側コネクタを有し背面に背面側コネクタを有するバックパネルに対して、複数の前面側プリント配線板がその端部のコネクタを上記前面側コネクタと接続させて実装してあり、且つ複数の背面側プリント配線板がその端部のコネクタを上記背面側コネクタと接続させて実装してあり、該前面側プリント配線板と該背面側プリント配線板とが直交する関係にある構成のプリント配線板実装構造において、
前面側から見て、該前面側コネクタと該背面側コネクタとは交差しないで直交する配置にある構成としたことを特徴とする。
【発明の実施の形態】
【００１１】
〔第１参考例〕
図４（Ａ），（Ｂ）は本発明の第１参考例になるプリント配線板実装構造５０を示す。図５及び図６は、図４（Ａ），（Ｂ）のプリント配線板実装構造５０を分解して示す。プリント配線板実装構造５０は、通常の通信装置のシェルフ（図示せず）内に組み込まれているものである。
【００１２】
プリント配線板実装構造５０は、シェルフ（図示せず）内に固定されてＸ−Ｚ面内に位置しているバックパネル５１と、バックパネル５１の背面にコネクタ接続されて実装してある複数の背面側プリント配線板５２と、前側からシェルフ（図示せず）内に挿入されてバックパネル５１とコネクタ接続されて実装してある複数の前面側プリント配線板ユニット５３とよりなる。背面側プリント配線板５２はＸ−Ｙ面である水平面内に位置する姿勢で、Ｚ１−Ｚ２方向に複数並んでおり、バックパネル５１自体でまかなうことができるＸ１−Ｘ２方向の配線パターンの数を越える配線パターンをまかなう役割を有する。前面側プリント配線板ユニット５３は、Ｙ−Ｚ面である垂直面内に位置する姿勢で、Ｘ１−Ｘ２方向に並んでおり、バックパネル５１自体でまかなうことができるＺ１−Ｚ２方向の配線パターンの数を越える配線パターンをまかなう役割を有する。
【００１３】
プリント配線板実装構造５０をその前側から見たときに、前面側プリント配線板ユニット５３は垂直、背面側プリント配線板５２は水平であり、前面側プリント配線板ユニット５３と背面側プリント配線板５２とは直交する関係にある。
【００１４】
バックパネル５１は、複数層の配線構造を有するものであり、Ｘ１，Ｘ２方向に延在する多数の配線パターン７０及びＺ１，Ｚ２方向に延在する多数の配線パターン７０ａを有する。配線層の数は、バックパネル５１を通常の歩留りで且つ通常の製造コストで製造できる値である。バックパネル５１自体でまかなえる配線パターンの数を越える配線パターンについては、背面側プリント配線板５２及び前面側プリント配線板ユニット５３がこれをまかなう構成である。よって、バックパネル５１は、背面側に背面側プリント配線板５２がコネクタ接続されて実装され、前面側に前面側プリント配線板ユニット５３がコネクタ接続されて実装される構成となっている。
【００１５】
ここで、バックパネル５１に設けてあるコネクタについて説明する。
【００１６】
図７及び図８を併せ参照して示すように、バックパネル５１には、前面５１ａに前面側コネクタ５４が整列して設けてあり、背面５１ｂに背面側コネクタ５５が整列して設けてある。
【００１７】
バックパネル５１には、多数のプレスフィットピン５６がスルーホール５７内に圧入されてプレスフィットされており、バックパネル５１を貫通しており、後述するコネクタ５４に対応した配置で並んでいる。プレスフィットピン５６のうち、符号５６Ａで示すプレスフィットピンはコネクタ５４の一部を構成し、符号５６Ｂで示すプレスフィットピンはコネクタ５４とコネクタ５５とに共通に利用されてコネクタ５４の一部とコネクタ５５の一部とを構成する。よって、プレスフィットピン５６Ｂを共通プレスフィットピンという。プレスフィットピン５６Ａは、バックパネル５１の前面５１ａに突き出ているピン部５６Ａａと、バックパネル５１の背面５１ｂに突き出ているピン部５６Ａｂとを有する。共通プレスフィットピン５６Ｂは、バックパネル５１の前面５１ａに突き出ているピン部５６Ｂａと、バックパネル５１の背面５１ｂに突き出ているピン部５６Ｂｂとを有する。プレスフィットピン５６Ａは、スルーホール５７内でバックパネル５１内の配線パターン７０又は配線パターン７０ａと電気的に接続してある。共通プレスフィットピン５６Ｂがプレスフィットされるスルーホールはバックパネル５１内の配線パターン７０，７０ａとは電気的に接続されていず、共通プレスフィットピン５６Ｂはバックパネル５１内の配線パターン７０，７０ａとは電気的に接続されていない。
【００１８】
コネクタ５４は、ピン部５６Ａａ及びピン部５６Ｂａと、コネクタガイド５８とよりなる。コネクタガイド５８は、底板の多数の孔をピン部５６Ａａ、５６Ｂａと嵌合させて、押さえバー５９によってバックパネル５１の前面５１ａに固定してある。コネクタガイド５８内にピン部５６Ａａ、５６Ｂａが突き出ている。コネクタ５４は、長手方向がＺ１，Ｚ２方向である向きである。
【００１９】
コネクタ５５は、ピン部５６Ｂｂと、コネクタガイド６０とよりなる。コネクタガイド６０は、底板の多数の孔をピン部５６Ｂｂと嵌合させて、押さえバーによってバックパネル５１の背面５１ｂに固定してある。コネクタガイド５７内にピン部５６Ｂｂが突き出ている。コネクタ５５は、長手方向がＸ１，Ｘ２方向である向きであり、図７に示すように、Ｘ１，Ｘ２方向上隣合う２つのコネクタ５４間に跨がっている。
【００２０】
また、図９に示すように、所定のコネクタ５４については１つのコネクタ５４に対応して２つのコネクタ５５が設けてある。
【００２１】
図４、図５及び図６に示すように、背面側プリント配線板５２は、Ｘ１，Ｘ２方向に延在する複数の配線パターン７１を有する。配線パターン７１は、背面側プリント配線板５２の端部に沿って設けてある複数のコネクタ６２の間をつないでいる。背面側プリント配線板５２は、コネクタ６２をコネクタ５５に接続してバックパネル５１の背面５１ｂに実装してある。
【００２２】
Ｘ１，Ｘ２方向上離れて位置しているコネクタ５４のプレスフィットピン５６Ａの間は、バックパネル５１の配線パターン７０でもって電気的に接続してある。Ｘ１，Ｘ２方向上離れて位置しているコネクタ５４のプレスフィットピン５６Ｂの間は、背面側プリント配線板５２の配線パターン７１によって電気的に接続してある。
【００２３】
前面側プリント配線板ユニット５３は、Ｚ１，Ｚ２方向に延在する複数の配線パターン７１ａを有し、且つプリント配線板上にＬＳＩ７３等が実装してあり、挿入方向上先頭側にコネクタ６３を有する構成である。前面側プリント配線板ユニット５３は、コネクタ６３をコネクタ５４と接続されて実装してある。
【００２４】
別々の前面側プリント配線板ユニット５３の間は、バックパネル５１の配線パターン７０及び背面側プリント配線板５２の配線パターン７１によって電気的に接続されている。
【００２５】
別々の背面側プリント配線板５２の間は、バックパネル５１の配線パターン７０ａ及び前面側プリント配線板ユニット５３の配線パターン７１ａによって電気的に接続されている。
【００２６】
上記の構成のプリント配線板実装構造５０は、以下の効果を有する。
【００２７】
（１）背面側プリント配線板５２及び前面側プリント配線板ユニット５３がバックパネル５１の機能を果たすため、バックパネル５１は配線層の数がバックパネル５１を通常の歩留りで且つ通常の製造コストで製造できる値に留めることが出来、よって、プリント配線板実装構造５０全体の製造コストが安価に出来る。
【００２８】
（２）背面側プリント配線板５２は、配線パターン７１を有し、且つ、バックパネル５１の背面にコネクタ接続されて実装してあり、且つ、前面側プリント配線板ユニット５３は、配線パターン７１ａを有し、且つ、バックパネル５１の前面にコネクタ接続されて実装してあるため、ジャンパ線を使用する構成に比べて信頼性の向上を図ることが出来る。
【００２９】
ここで、上記参考例の変形例について説明する。
【００３０】
以下の第１、第２の変形例がある。
【００３１】
第１の変形例は、バックパネル５１は配線パターン７０及び配線パターン７０ａを有し、背面側プリント配線板５２は配線パターン７１を有し、前面側プリント配線板ユニット５３は配線パターン７１ａを有しない構成である。
【００３２】
第２の変形例は、バックパネル５１は配線パターン７０を有し、配線パターン７０ａは有していず、背面側プリント配線板５２は配線パターン７１を有し、前面側プリント配線板ユニット５３は配線パターン７１ａを有しない構成である。  次に、バックパネル５１上のコネクタ５４、５５の変形例について説明する。  図１０は第１の変形例を示す。コネクタ５４Ａは、図８中のバックパネル５１を貫通するプレスフィットピン５６に代えて、バックパネル５１のスルーホール５７内にバックパネル５１の前面５１ａ側からバックパネル５１の厚さｔの約１／２の深さまで圧入されたピン８０を有する構成である。コネクタ５５Ａは、図８中のバックパネル５１を貫通するプレスフィットピン５６に代えて、バックパネル５１のスルーホール５７内にバックパネル５１の背面５１ｂ側からバックパネル５１の厚さｔの約１／２の深さまで圧入されたピン８１を有する構成である。ピン８１と、ピン８０のうちピン８１と整列しているピン８０Ａとは、スルーホール５７を通して導通している。
【００３３】
ピン８１とピン８０Ａとが共通ピンを構成する。
【００３４】
このコネクタ５４Ａ、５５Ａは、ピン８０、８１がスルーホール５７を貫通していずスルーホール５７の途中の位置までの圧入に留まっているため、圧入するときにピン８０、８１に曲がりが起きにくい。よって、コネクタ５４Ａ、５５Ａは、ピン曲がりが少ないものとなり、背面側プリント配線板５２とコネクタ５５Ａとの接続及び前面側プリント配線板ユニット５３とコネクタ５４Ａとの接続がより信頼性高くなされ、よって、プリント配線板実装構造がより信頼性高く組立てられる。
【００３５】
図１１は第２の変形例を示す。コネクタ５４Ｂは、図８中のバックパネル５１を貫通するプレスフィットピン５６に代えて、バックパネル５１Ｂの前面５１Ｂａ上のパッド９０に半田付けされて固定してあるピン９１を有する構成である。コネクタ５５Ｂは、図８中のバックパネル５１を貫通するプレスフィットピン５６に代えて、バックパネル５１Ｂの背面５１Ｂｂ上のパッド９２に半田付けされて固定してあるピン９３を有する構成である。ピン９３と、ピン９１のうちピン９３に対応するピン９１Ａとの間は、バックパネル５１Ｂ内のビア９４によって電気的に接続してある。
【００３６】
ピン９３とピン９１Ａとが共通ピンを構成する。
【００３７】
コネクタ５４Ｂ，５５Ｂは、ピン９１、９３を圧入していないため、ピン９１、９３に曲がりがない。また、バックパネル５１Ｂはスルーホールを有していないため、図１１に示すように、バックパネル５１Ｂの背面５１Ｂｂのうちコネクタ５４Ｂに対応する部分に、配線パターン９５を形成して電子部品９６を実装することも出来る。
【００３８】
〔第２参考例〕
図１２（Ａ），（Ｂ）及び図１３は本発明の第２参考例になるプリント配線板実装構造１００を示す。図１４及び図１５は、図１２（Ａ），（Ｂ）のプリント配線板実装構造１００を分解して示す。プリント配線板実装構造１００は、図１６に示すサーバ１１０の筐体１１１内に強制空冷用ファン等と共に組み込まれているものであり、情報の処理を行う。
【００３９】
プリント配線板実装構造１００は、サーバ１１０の筐体１１１内に固定されてＸ−Ｚ面内に位置しているバックパネル１０１と、バックパネル１０１の背面にコネクタ接続されて実装してある複数の背面側プリント配線板ユニット１０２と、サーバ１１０の前側から筐体１１１内に挿入されてバックパネル１０１とコネクタ接続されて実装してある複数の前面側プリント配線板ユニット１０３とよりなる。背面側プリント配線板ユニット１０２はＸ−Ｙ面である水平面内に位置する姿勢で、Ｚ１−Ｚ２方向に複数並んでいる。前面側プリント配線板ユニット１０３は、Ｙ−Ｚ面である垂直面内に位置する姿勢で、Ｘ１−Ｘ２方向に並んでいる。プリント配線板実装構造１００をその前側から見たときに、前面側プリント配線板ユニット１０３は垂直、背面側プリント配線板ユニット１０２は水平であり、前面側プリント配線板ユニット１０３と背面側プリント配線板ユニット１０２とは直交する関係にある。
【００４０】
図１７に示すように、バックパネル１０１は、複数層の配線構造を有する。バックパネル１０１には、前面１０１ａに前面側コネクタ１０４が整列して設けてあり、背面１０１ｂに背面側コネクタ１０５が整列して設けてある。コネクタ１０４は、バックパネル１０１の略全高さに亘るＺ１，Ｚ２方向に長いものであり、Ｘ１−Ｘ２方向に並んでいる。コネクタ１０５は、バックパネル１０１の略全幅に亘るＸ１，Ｘ２方向に長いものであり、Ｚ１−Ｚ２方向に並んでいる。コネクタ１０４，１０５は、図８と同様に多数のプレスフィットピンを有する構成である。コネクタ１０４とコネクタ１０５とが交差している部分のプレスフィットピンが共通プレスフィットピンである。
【００４１】
図１２乃至図１５に示すように、背面側プリント配線板ユニット１０２は、コネクタ１０６をコネクタ１０５に接続してバックパネル１０１の背面１０１ｂに実装してある。前面側プリント配線板ユニット１０３は、コネクタ１０７をコネクタ１０４に接続してバックパネル１０１の前面１０１ａに実装してある。
【００４２】
図１３に示すように、背面側プリント配線板ユニット１０２には、各前面側プリント配線板ユニット１０３−１〜１０３−６に対応する複数のＬＳＩ１０８−１〜１０８−６が実装してある。各ＬＳＩ１０８−１〜１０８−６は、ドライバとレシーバとを備えており、情報の処理を行う。背面側プリント配線板ユニット１０２には、各ＬＳＩ１０８−１〜１０８−６と対応する前面側プリント配線板ユニット１０３−１〜１０３−６（共通プレスフィットピン）とを電気的に接続する配線パターン１０９と、各ＬＳＩ１０８−１〜１０８−６間を電気的に接続する配線パターン１１０とが設けてある。
【００４３】
ここで、図１３中、離れている前面側プリント配線板ユニット１０３−１と前面側プリント配線板ユニット１０３−６との間での命令の送り出し及び情報の受け取りについて考えてみる。ＬＳＩ１０８−１は前面側プリント配線板ユニット１０３−１に対応するものであり、ＬＳＩ１０８−６は前面側プリント配線板ユニット１０３−６に対応するものである。前面側プリント配線板ユニット１０３−１からの命令は、ＬＳＩ１０８−１から出て、配線パターン１１０を通ってＬＳＩ１０８−６に到り、前面側プリント配線板ユニット１０３−６からの情報はＬＳＩ１０８−６から出て、配線パターン１１０を通ってＬＳＩ１０８−１に到る。上記のように、命令及び情報は、専ら背面側プリント配線板ユニット１０２内で伝送され、バックパネル１０１を経由しない。よって、命令及び情報の伝達経路が短く、情報の処理が従来に比べてより高速度で行われる。
【００４４】
また、プリント配線板実装構造１００は、図１３中二点鎖線で示すように背面側プリント配線板ユニット１０２を利用して別のプリント配線板実装構造と接続させることが可能であり、拡張性を有する。
【００４５】
〔第３参考例〕
第３参考例及び第４参考例は、上記の第２参考例の変形例的なものである。
【００４６】
図１８は本発明の第３参考例になるプリント配線板実装構造１００Ａを示す。プリント配線板実装構造１００Ａは、バックパネル１０１Ａと、複数の背面側プリント配線板ユニット１０２Ａと、複数の前面側プリント配線板ユニット１０３Ａとよりなる。プリント配線板実装構造１００Ａをその前側から見たときに、前面側プリント配線板ユニット１０３Ａと背面側プリント配線板ユニット１０２Ａとは直交する関係にある。
【００４７】
図１９に併せて示すように、バックパネル１０１Ａには、ドライバとレシーバとを備えており情報の処理を行うＬＳＩ１０８Ａが、前面１０１Ａａのうち、前面から見てコネクタ１０４とコネクタ１０５とが交差している箇所の４つのコーナ部１１５に１つづつ実装してある。
【００４８】
図１９中、矢印１２０、１２１は、信号の流れの１例を示す。信号は、前面側プリント配線板ユニット１０３Ａから出た信号は、コネクタ１０４及びバックパネル１０１Ａ内の配線パターンを矢印１２０で示すように経て、ＬＳＩ１０８Ａに到る。ＬＳＩ１０８Ａで処理された信号は、バックパネル１０１Ａ内の配線パターンを矢印１２１で示すように経てコネクタ１０５に到り、コネクタ１０５を経て背面側プリント配線板ユニット１０２Ａに到る。このように、信号の伝送経路が短い。
【００４９】
図２０は本発明の第４参考例になるプリント配線板実装構造１００Ｂを示す。プリント配線板実装構造１００Ｂは、バックパネル１０１Ｂと、複数の背面側プリント配線板ユニット１０２Ｂと、複数の前面側プリント配線板ユニット１０３Ｂとよりなる。プリント配線板実装構造１００Ｂをその前側から見たときに、前面側プリント配線板ユニット１０３Ｂと背面側プリント配線板ユニット１０２Ｂとは直交する関係にある。
【００５０】
図２１に併せて示すように、バックパネル１０１Ｂには、ドライバとレシーバとを備えており情報の処理を行うＬＳＩ１０８Ｂ１及び１０８Ｂ２が、前面１０１Ａａに実装してある。ＬＳＩ１０８Ｂ１は、前面から見てコネクタ１０４とコネクタ１０５とが交差している箇所のコーナ部１２５に実装してある。ＬＳＩ１０８Ｂ２は、ＬＳＩ１０８Ｂ１よりひと回り大きいサイズであり、コネクタ１０４とコネクタ１０５とによって囲まれる部分１２６に実装してある。
【００５１】
図２１中、矢印１２７はＬＳＩ１０８Ｂ１に関する信号の流れを示し、矢印１２８はＬＳＩ１０８Ｂ２に関する信号の流れを示す。信号の伝送経路は短い。
【００５２】
〔変形例〕
図２２はバックパネル１０１Ｃを示す。このバックパネル１０１Ｃは、図１９のバックパネル１０１Ａの変形例的なものである。図１９中のコネクタ１０４代えて、複数のコネクタ１３０がＺ１，Ｚ２方向に直線状に整列している。図１９中のコネクタ１０５代えて、複数のコネクタ１３１がＸ１，Ｘ２方向に直線状に整列している。バックパネル１０１Ｃの正面から見て、コネクタ１３０とコネクタ１３１は交差している。
【００５３】
〔実施例〕
図２３は本発明の一実施例になるプリント配線板実装構造のバックパネル１０１Ｄを示す。このバックパネル１０１Ｄは、図２２のバックパネル１０１Ｃとは、各コネクタ１３１が隣合うコネクタ１３０の間に位置しており、バックパネル１０１Ｃの正面から見て、コネクタ１３０とコネクタ１３１が交差していない点が相違する。このバックパネル１０１Ｄは共通ピンを有しない。
【００５４】
なお、図２３のバックパネル１０１Ｄにおいて、コネクタ１３０とコネクタ１３１との間をバックパネル１０１Ｄ内の配線パターンで接続してもよい。この場合に、ＬＳＩ１０８Ｄを設けていない構成でもよい。
【発明の効果】
【００５５】
以上説明したように、本発明によれば、前面側コネクタと背面側コネクタとが交差している場合には、交差している部分にバックパネルを貫通して存在する貫通ピンによって、前面側コネクタの各ビンの役割の割り当てと前面側コネクタの各ビンの役割の割り当てとが一部拘束されてしまうところを、前面側コネクタと背面側コネクタとが交差していない場合には、バックパネルを貫通する貫通ピンは存在せず、よって、前面側コネクタの各ビンの役割の割り当てと前面側コネクタの各ビンの役割の割り当てとは、貫通ピンによって少しも拘束されることなく、自由に行うことが可能となるという効果を有します。
【図面の簡単な説明】
【図１】  従来の１例のプリント配線板実装構造を示す図である。
【図２】  従来の別の例のプリント配線板実装構造を示す図である。
【図３】  図２のプリント配線板実装構造の問題点を説明する図である。
【図４】  本発明の第１参考例になるプリント配線板実装構造を示す図である。
【図５】  図４（Ａ）のプリント配線板実装構造の分解斜視図である。
【図６】  図４（Ｂ）のプリント配線板実装構造の分解斜視図である。
【図７】  図５のバックパネルの正面図である。
【図８】  図７中、VIII-VIII 線に沿う拡大断面図である。
【図９】  図７中、IX-IX 線に沿う拡大断面図である。
【図１０】  バックパネル上のコネクタの第１の変形例を示す図である。
【図１１】  バックパネル上のコネクタの第２の変形例を示す図である。
【図１２】  本発明の第２参考例になるプリント配線板実装構造を示す図である。
【図１３】  図１２のプリント配線板実装構造の平面図である。
【図１４】  図１２（Ａ）のプリント配線板実装構造の分解斜視図である。
【図１５】  図１２（Ｂ）のプリント配線板実装構造の分解斜視図である。
【図１６】  サーバを示す斜視図である。
【図１７】  図１４のバックパネルの正面図である。
【図１８】  本発明の第３参考例になるプリント配線板実装構造の一部切截斜視図である。
【図１９】  図１８のバックパネルの正面図である。
【図２０】  本発明の第４参考例になるプリント配線板実装構造の一部切截斜視図である。
【図２１】  図２０のバックパネルの正面図である。
【図２２】  バックパネルの第１の変形例を示す正面図である。
【図２３】  本発明の一実施例になるプリント配線板実装構造のバックパネルの正面図である。
【符号の説明】
５０，１００，１００Ａ，１００Ｂ  プリント配線板実装構造
５１、１０１、１０１Ａ〜１０１Ｃ  バックパネル
５２、１０２  背面側プリント配線板
５３、１０３  前面側プリント配線板ユニット
５４、１０４  前面側コネクタ
５５、１０５  背面側コネクタ
５６、５６Ａ  プレスフィットピン
５６Ｂ  共通プレスフィットピン
５７  貫通孔
５８、６０  コネクタガイド
６２、６３、１０６、１０７  コネクタ
７０，７１  配線パターン
８０、８１  ピン
１０８  ＬＳＩ
【図１】
0003698233.tif 000002
【図２】
0003698233.tif 000003
【図３】
0003698233.tif 000004
【図４】
0003698233.tif 000005
【図５】
0003698233.tif 000006
【図６】
0003698233.tif 000007
【図７】
0003698233.tif 000008
【図８】
0003698233.tif 000009
【図９】
0003698233.tif 000010
【図１０】
0003698233.tif 000011
【図１１】
0003698233.tif 000012
【図１２】
0003698233.tif 000013
【図１３】
0003698233.tif 000014
【図１４】
0003698233.tif 000015
【図１５】
0003698233.tif 000016
【図１６】
0003698233.tif 000017
【図１７】
0003698233.tif 000018
【図１８】
0003698233.tif 000019
【図１９】
0003698233.tif 000020
【図２０】
0003698233.tif 000021
【図２１】
0003698233.tif 000022
【図２２】
0003698233.tif 000023
【図２３】
0003698233.tif 000024